(57)【要約】【課題】  信号伝送装置３に設けられた送信モジュール６或いは受信モジュール７の交換作業における周波数設定を確実に行うことができるようにする。【解決手段】  信号を周波数情報に従って所定の周波数に変換する機能を送信モジュール６或いは受信モジュール７に構成して、信号伝送装置３の筐体８、９に着脱可能に設け、モジュールには、周波数変換する機能に設定するための周波数情報を取得する取得手段２７、２９を設け、筐体８、９には、設定すべき周波数情報を記憶し、装着されたモジュールの取得手段に周波数情報を提供する提供手段２６、２８を設けた。これにより、筐体に実装されるモジュールを他のモジュールと交換した場合、筐体側から周波数情報が当該他のモジュールに取得されて設定される。【選択図】  図１
2008263539.tif 000002
【特許請求の範囲】
【請求項１】
信号を所定の周波数に変換して送信する機能と、受信した信号を所定の周波数に変換する機能との少なくともいずれか一方を有する信号伝送装置において、
信号を周波数情報に従って所定の周波数に変換する機能をモジュールに構成し、当該モジュールを信号伝送装置の筐体に着脱可能に設け、
前記モジュールには、前記周波数変換する機能に設定するための周波数情報を取得する取得手段を設け、
前記筐体には、前記周波数変換する機能に設定すべき周波数情報を記憶し、装着されたモジュールの取得手段に当該周波数情報を提供する提供手段を設けたことを特徴とする信号伝送装置。
【発明の詳細な説明】
【技術分野】
【０００１】
本発明は、受信した信号又は送信する信号を所定の周波数に変換する信号伝送装置に関し、特に、モジュールに構成した周波数変換機能を信号伝送装置の筐体に着脱可能に設けた信号伝送装置に関する。
【背景技術】
【０００２】
例えば、放送信号の伝送では、図７に示すように、放送所１、２の間で伝送されるデジタル放送信号を中継する装置として、ＴＴＬ（Transmitter Transmitter Link）と称せられる信号伝送装置３が用いられている。
なお、ＴＴＬ装置３は、放送所１、２の間に１又は複数の必要に応じた台数が用いられる。
【０００３】
図８には、従来のＴＴＬ装置３の構成を示してある。
なお、同図には、２つのＴＴＬ装置３を示し、送信側となるＴＴＬ装置３（図中の左側）については送信部４を詳細に示すとともに受信部５を簡略に示し、受信側となるＴＴＬ装置３（図中の右側）については受信部５を詳細に示すとともに送信部４を簡略に示してある。
【０００４】
送信側となるＴＴＬ装置３の送信部４では、送信信号１０が送信変換器１１に入力され、送信変換器１１が周波数指定スイッチ１２の操作によって設定された所定周波数に送信信号を変換（アップコンバート）して、当該変換された送信信号の出力１３は送信アンテナ１４から送信される。
一方、受信側となるＴＴＬ装置３の送信部５では、受信アンテナ１５で受信した信号１６が受信変換器１７に入力され、受信変換器１７が周波数指定スイッチ１８の操作によって設定された所定周波数に受信信号を変換（ダウンコンバート）して、内部処理へ出力１９する。
【０００５】
送信部４では例えば信号伝送に適した所定の周波数に周波数変換し、また、受信部５では例えば増幅処理に適した所定の周波数に周波数変換する。
このような送信部４と受信部５は、一般的に、複数の周波数を含む放送信号を伝送するため、複数の対となって１台のＴＴＬ装置３に備えられており、それぞれの送信部４と受信部５はモジュール６、７に構成されて、ＴＴＬ装置３の筐体をなす送信部ラック８と受信部ラック９にそれぞれ実装されている。
【０００６】
図９には一例として６台の送信部モジュール６を実装した送信部ラック８を正面視して示し、図１０には一例として６台の受信部モジュール７を実装した受信部ラック９を正面視して示してある。
なお、同図中には、これら６台の送信部モジュール６にはそれぞれ６ａ〜６ｆの符号を付してあり、これら６台の受信部モジュール７にはそれぞれ７ａ〜７ｆの符号を付してある。
【０００７】
図９に示すように、各送信部モジュール６ａ〜６ｆは送信部ラック８に装填してネジ２２によって固定されており、また、図１０に示すように、各受信部モジュール７ａ〜７ｆは受信部ラック９に装填してネジ２３によって固定されている。
そして、各送信部モジュール６ａ〜６ｆは指定スイッチ１２の操作によってそれぞれ所定の変換周波数が設定されており、また、各受信部モジュール７ａ〜７ｆは及び各受信部モジュール７ａ〜７ｆは指定スイッチ１８の操作によってそれぞれ所定の変換周波数が設定されている。
【発明の開示】
【発明が解決しようとする課題】
【０００８】
ここで、上記の送信部モジュール６ａ〜６ｆ或いは受信部モジュール７ａ〜７ｆに故障等の不具合が生じた場合には、作業員が故障したモジュールを予備用のモジュールに交換する作業を行う。
【０００９】
例えば、送信部モジュール６ｂが故障した場合、ネジ２２を外して当該送信部モジュール６ｂを送信部ラック８から取外し、予備用の送信部モジュール６ｇを代わりに送信部ラック８に取り付けてネジ２２で固定し、予備用送信部モジュール６ｇの指定スイッチ１２を操作して、予備用送信部モジュール６ｇに送信部モジュール６ｂと同じ変換周波数を設定する。
また、例えば、受信部モジュール７ｃが故障した場合、ネジ２３を外して当該受信部モジュール７ｃを受信部ラック９から取外し、予備用の受信部モジュール７ｇを代わりに受信部ラック９に取り付けてネジ２３で固定し、予備用受信部モジュール７ｇの指定スイッチ１８を操作して、予備用受信部モジュール７ｇに受信部モジュール７ｃと同じ変換周波数を設定する。
【００１０】
しかしながら、送信部モジュール或いは受信部モジュールの交換作業に際して、モジュールへの変換周波数の設定は作業員が指定スイッチを操作して行っていたため、錯誤により所定の周波数が設定されないおそれがあった。
このように周波数の設定に誤りが生ずると、当該周波数信号の伝送が正常になされず、延いては、放送信号の伝送に重大な影響を与えてしまう。
【００１１】
本発明は、上記従来の事情に鑑みなされたもので、モジュールの交換作業における周波数設定を確実に行うことを目的としている。
【課題を解決するための手段】
【００１２】
本発明は、信号を所定の周波数に変換して送信する機能或いは受信した信号を所定の周波数に変換する機能の少なくともいずれか一方を有する信号伝送装置において、信号を周波数情報に従って所定の周波数に変換する機能をモジュールに構成し、当該モジュールを信号伝送装置の筐体に着脱可能に設け、前記モジュールには、前記周波数変換する機能に設定するための周波数情報を取得する取得手段を設け、前記筐体には、前記周波数変換する機能に設定すべき周波数情報を記憶し、装着されたモジュールの取得手段に当該周波数情報を提供する提供手段を設けたことを特徴とする。
【００１３】
したがって、筐体に実装されるモジュールを他のモジュールと交換した場合、筐体側から設定すべき周波数情報が当該他のモジュールに取得されて設定される。すなわち、筐体の実装位置に応じてモジュールには所定の周波数が自動的に設定される。
【発明の効果】
【００１４】
本発明に係る信号伝送装置によると、送信部モジュール或いは受信部モジュールの交換作業に際して、モジュールを交換して実装することで、当該新たなモジュールに変換周波数が自動的に設定されるため、作業員による設定操作の誤りを排して、モジュールに所定の周波数を確実に設定することができる。
【発明を実施するための最良の形態】
【００１５】
本発明に係る信号伝送装置を実施例に基づいて具体的に説明する。
図１には本実施例に係る信号伝送装置の一例としてのＴＴＬ装置の構成を示し、図２には６台の送信部モジュール６を実装した送信部ラック８を正面視して示し、図３には６台の受信部モジュール７を実装した受信部ラック９を正面視して示してある。
なお、図１には、２つのＴＴＬ装置３を示し、送信側となるＴＴＬ装置３（図中の左側）については送信部４を詳細に示すとともに受信部５を簡略に示し、受信側となるＴＴＬ装置３（図中の右側）については受信部５を詳細に示すとともに送信部４を簡略に示してある。また、本実施例の説明において、図８〜図１０に示した従来例と同様な部分には同一符号を付す。
【００１６】
送信側となるＴＴＬ装置３の送信部４では、送信信号１０が送信変換器１１に入力され、送信変換器１１が設定された所定周波数に送信信号を変換（アップコンバート）し、当該変換された送信信号の出力１３は送信アンテナ１４から送信される。
一方、受信側となるＴＴＬ装置３の送信部５では、受信アンテナ１５で受信した信号１６が受信変換器１７に入力され、受信変換器１７が設定された所定周波数に受信信号を変換（ダウンコンバート）し、内部処理へ出力１９する。
【００１７】
このような送信部４と受信部５は、それぞれ６台ずつのモジュール６、７に構成されて１台のＴＴＬ装置３に備えられており、それぞれの送信部モジュール６と受信部モジュール７はＴＴＬ装置３の筐体をなす送信部ラック８と受信部ラック９にそれぞれ実装されている。
【００１８】
ここで、送信部ラック８には、６台の送信部モジュール６に対応して６個の提供手段２６が設けられており、これら各提供手段２６は、それぞれ位置的に対応する送信部モジュール６に設定すべき周波数の情報を記憶し、当該記憶した周波数情報を送信部ラック８に実装された送信部モジュール６に提供する。
一方、各送信部モジュール６にはそれぞれ自己に設定するための周波数情報を位置的に対応する提供手段２６から取得する取得手段２７が設けられており、取得手段２７により提供手段２６から取得した周波数情報が送信変換器１１に入力されて、当該送信変換器１１に周波数情報による所定の変換周波数が自動的に設定される。
【００１９】
また、受信部ラック９には、６台の受信部モジュール７に対応して６個の提供手段２８が設けられており、これら各提供手段２８は、それぞれ位置的に対応する受信部モジュール７に設定すべき周波数の情報を記憶し、当該記憶した周波数情報を受信部ラック９に実装された受信部モジュール７に提供する。
一方、各受信部モジュール７にはそれぞれ自己に設定するための周波数情報を位置的に対応する提供手段２８から取得する取得手段２９が設けられており、取得手段２９により提供手段２８から取得した周波数情報が受信変換器１７に入力されて、当該送信変換器１７に周波数情報による所定の変換周波数が自動的に設定される。
【００２０】
すなわち、送信部モジュール６は送信部ラック８に実装するだけで、その実装位置に応じた周波数が自動的に設定され、また、受信部モジュール７は受信部ラック９に実装するだけで、その実装位置に応じた周波数が自動的に設定される。
なお、各送信部モジュール６及び各受信部モジュール７にはそれぞれの送信変換器１１及び受信変換器１７の状態を表示するランプ３０、３１が設けられており、送信変換器１１及び受信変換器１７が変換周波数の設定が正常になされているか否かを当該ランプ３０、３１の点灯で表示する。
【００２１】
提供手段２６、２８としては、周波数情報を記憶したメモリと、当該メモリに記憶した周波数情報を出力する出力手段とを有する装置を用いることができる。例えば、出力手段が赤外線等の光信号で周波数情報を出力する場合には、取得手段２７、２９として当該光信号を受信してその周波数情報を変換器１１、１７に入力する装置を用い、また、出力手段が無線信号で周波数情報を出力する場合には、取得手段２７、２９として当該無線信号を受信してその周波数情報を変換器１１、１７に入力する装置を用い、また、出力手段が周波数情報の信号を端子から出力する場合には、取得手段２７、２９として当該端子に接続して受信した信号の周波数情報を変換器１１、１７に入力する装置を用いる。
【００２２】
送信部モジュール６ａ〜６ｆ或いは受信部モジュール７ａ〜７ｆに故障等の不具合が生じた場合には、作業員が故障したモジュールを予備用のモジュール６ｇ或いは７ｇに交換する作業を行う。
なお、図４には、送信部４を代表して斜視図で示すが、受信部５についても同様である。
【００２３】
例えば、送信部モジュール６ｃが故障した場合、ネジ２２を外して当該送信部モジュール６ｃを送信部ラック８から取外し、予備用の送信部モジュール６ｇを代わりに送信部ラック８に取り付けてネジ２２で固定する。
このように予備用の送信部モジュール６ｇを故障した送信部モジュール６ｃと同じ位置に実装すると、送信部モジュール６ｃに対応していた提供手段２６が送信部モジュール６ｇの取得手段２７と情報通信可能に接続し、元の送信部モジュール６ｃに設定されていたと同じ周波数情報が提供手段２６から送信部モジュール６ｇの取得手段２７へ提供される。
【００２４】
この結果、実装した予備用の送信部モジュール６ｇでは、取得手段２７で取得した周波数情報が送信変換器１１に入力され、送信変換器１１が当該周波数情報に従って信号の変換周波数を自己設定する。
したがって、予備用の送信部モジュール６ｇを交換対象の送信部モジュールと同じ位置に実装するだけで、当該予備用の送信部モジュール６ｇに元の送信モジュールと同じ変換周波数が設定される。
【００２５】
図５には、送信変換器１１（受信変換器１７）による変換周波数の設定処理の一例を示してある。
提供手段２６と取得手段２７との接続を検知すると（ステップＳ１）、取得手段２７から取得した周波数情報を読取って変換周波数を設定する（ステップＳ２）。そして、周波数情報の取得処理に異常が生じていた等と言った理由で当該設定処理に異常があるか否かを判定し（ステップＳ３）、異常がない場合にはランプ３０に正常を示す表示を行い（ステップＳ４）、異常があった場合にはランプ３０に異常を示す表示を行う（ステップＳ５）。
【００２６】
図６には、本発明に係る他の実施例を送信部４を代表して示してある。なお、受信部５についても同様である。
本実施例では、提供手段２６と取得手段２７との間の情報授受をより確実にするため、送信部ラック８に凸部３５を設けるとともに各送信部モジュール６に凹部３６を設けて、凸部３５と凹部３６とが嵌り合うことで、送信モジュール６が送信部ラック８に正常に実装されて、提供手段２６と取得手段２７とが正常に情報授受できる状態が保証される。
なお、この凹凸関係は逆でもよい。
【図面の簡単な説明】
【００２７】
【図１】本発明の一実施例に係るＴＴＬ装置の構成図である。
【図２】本発明の一実施例に係るＴＴＬ装置の送信部の正面図である。
【図３】本発明の一実施例に係るＴＴＬ装置の受信部の正面図である。
【図４】本発明の一実施例に係るＴＴＬ装置の送信部の斜視図である。
【図５】本発明の一実施例に係るＴＴＬ装置の周波数設定処理を説明する図である。
【図６】本発明の他の一実施例に係るＴＴＬ装置の送信部の構成図である。
【図７】放送所間の信号伝送を説明する図である。
【図８】従来例に係るＴＴＬ装置の構成図である。
【図９】従来例に係るＴＴＬ装置の送信部の正面図である。
【図１０】従来例に係るＴＴＬ装置の受信部の正面図である。
【符号の説明】
【００２８】
３：ＴＴＬ装置（信号伝送装置）、  ４：送信部、
５：受信部、  ６、６ａ〜６ｇ：送信部モジュール、
７、７ａ〜７ｇ：受信部モジュール、  ８：送信部ラック（筐体）、
９：受信部ラック（筐体）、  １１：送信変換器、
１７：受信変換器、  ２６、２８：提供手段、
２７、２９：取得手段、
【図１】
2008263539.tif 000003
【図２】
2008263539.tif 000004
【図３】
2008263539.tif 000005
【図４】
2008263539.tif 000006
【図５】
2008263539.tif 000007
【図６】
2008263539.tif 000008
【図７】
2008263539.tif 000009
【図８】
2008263539.tif 000010
【図９】
2008263539.tif 000011
【図１０】
2008263539.tif 000012